(57)【要約】【課題】室内外にわたって冷媒回路を構成してなる換気乾燥装置を設置する際に必要となる、室内外を連通する孔の個数を削減する。【解決手段】冷媒を圧縮する圧縮機１０２と、冷媒が供給空気に対して放熱する放熱器００２と、冷媒を膨張させて減圧する膨張機構００１と、冷媒が供給空気から吸熱する吸熱器１０３と、圧縮機１０２と放熱器００２と膨張機構００１と吸熱器１０３を順に配管接続して冷媒を充填した冷媒回路１１１と、放熱器００２を収容する室内機１０５と、室内の空気の一部を室外に排気する換気装置１１２を備え、換気装置１１２は室内機１０５外に配置し、室内外を連通する単一の孔００４内に、室内の空気の一部を室外に排気する換気風路１１６と、前記冷媒回路の一部を通す冷媒回路通路１１４を設けたので、室内外を連通する孔を１個とすることができ、施工が容易になる。【選択図】図１
2005140361.tif 000002
【特許請求の範囲】
【請求項１】
冷媒を圧縮する圧縮機と、冷媒が供給空気に対して放熱する放熱器と、冷媒を膨張させて減圧する膨張機構と、冷媒が供給空気から吸熱する吸熱器と、前記圧縮機と前記放熱器と前記膨張機構と前記吸熱器の順に配管接続して冷媒を充填した冷媒回路と、前記放熱器を収容する室内機と、室内の空気の一部を室外に排気する換気装置を備え、前記放熱器は室内に配置し、前記吸熱器は室外に配置し、前記換気装置は前記室内機に内臓せず、室内外を連通する単一の孔内に、室内の空気の一部を室外に排気する換気風路と、前記冷媒回路の一部を通す冷媒回路通路を設けたことを特徴とする換気乾燥装置。
【請求項２】
換気風路が、冷媒回路通路を兼ねることを特徴とする請求項１記載の換気乾燥装置。
【請求項３】
室内機によって、室内外を連通する単一の孔の室内側開口を隠蔽するよう配置したことを特徴とする請求項１または２記載の換気乾燥装置。
【請求項４】
圧縮機を、室外に配置したことを特徴とする請求項１、２または３記載の換気乾燥装置。
【請求項５】
膨張機構を、室外に配置したことを特徴とする請求項１、２、３または４記載の換気乾燥装置。
【請求項６】
膨張機構がキャピラリーチューブであって、かつ換気風路内に配置したことを特徴とする請求項２、３または４記載の換気乾燥装置。
【請求項７】
冷媒回路が着脱自在な配管接続部を有し、前記配管接続部が換気風路内に配置されないように構成したことを特徴とする請求項２、３、４、５または６記載の換気乾燥装置。
【請求項８】
配管接続部が、室外に配置されるように構成したことを特徴とする請求項７記載の換気乾燥装置。
【請求項９】
吸熱器を収容する室外機を備え、室内機及び前記室外機から露出した冷媒回路が、前記冷媒回路と空気との熱交換を妨げる断熱材によって覆われ、少なくとも換気風路内の断熱材が、他の断熱材よりも薄いことを特徴とする請求項２、３、４、５、６、７または８記載の換気乾燥装置。
【請求項１０】
冷媒回路を圧縮機と放熱器と膨張機構と吸熱器の順から前記圧縮機と前記吸熱器と前記膨張機構と前記放熱器の順に切り替える四方弁を備え、前記四方弁を切り替えて前記吸熱器に付着した霜を取り除く除霜運転時に前記放熱器に付着する結露水を受けるための水受け皿を設け、前記水受け皿の最下部を、室内外を連通する単一の孔の室内側開口の最下部よりも鉛直上方に高い位置に設けたことを特徴とする請求項１、２、３、４、５、６、７、８または９記載の換気乾燥装置。
【発明の詳細な説明】
【技術分野】
【０００１】
本発明は、主に一般家庭の浴室等に使用される換気乾燥装置に関する。
【背景技術】
【０００２】
従来、この種の換気乾燥装置は、冷媒回路の一部を収納する室内機と、冷媒回路の一部を収納する室外機とを配管接続して構成した冷媒回路と、室内の空気の一部を室外へ排気する換気装置とによって構成され、冷媒回路の一部を通す冷媒回路通路を通すための室内外を連通する第１の孔と、室内の空気の一部を通す換気風路を通すための室内外を連通する第２の孔を、室内外を隔てる壁体に各々開口するものがある（例えば、特許文献１参照）。
【０００３】
以下、その換気乾燥装置について図８を参照しながら説明する。
【０００４】
図８に示すように、室外に設置される室外機１０１は、冷媒を圧縮する圧縮機１０２と、外気と冷媒を熱交換させる吸熱器１０３と、吸熱器１０３に外気を送風する室外送風機１０４等を備えており、また、室内の天井面等に設置される室内機１０５は、室内の空気と冷媒とを熱交換する第一室内側熱交換器１０６及び第二室内側熱交換器１０７と、第一室内熱交換器１０６および第二室内熱交換器１０７に室内の空気を送風する室内送風機１０８等を備えている。そして室外機１０１と室内機１０５を第一冷媒配管１０９と第二冷媒配管１１０により接続して冷媒が循環する冷媒回路１１１を構成している。また室内機１０５には、室内の空気の一部を室外に排気する換気装置１１２が内蔵されている。
【０００５】
以上の構成において、換気装置１１２が室内機１０５に内蔵されているので、冷媒回路通路１１４と換気風路１１６の接続位置が、室内機１０５の内部構造によって決定してしまう。従って、換気乾燥装置が設置される場合、室内外を隔てる壁体１１３に、第一冷媒配管１０９及び第二冷媒配管１１０を通す冷媒回路通路１１４を通すための室内外を連通する第１の孔１１５と、室内の空気の一部を通す換気風路１１６を通すための室内外を連通する第２の孔１１７を、各々開口することとなる。
【特許文献１】特開２００２−３４９９３０号公報（第５頁、第５図）
【発明の開示】
【発明が解決しようとする課題】
【０００６】
以上に述べた従来の換気乾燥装置では、室内外を隔てる壁体に、冷媒回路通路を通すための室内外を連通する第１の孔と、換気風路を通すための室内外を連通する第２の孔とを各々開口する必要があるため施工に時間を要し、しかも見栄えが悪いという問題点があった。
【０００７】
本発明は、このような従来の構成が有していた問題を解決しようとするものであり、手軽に施工ができ、しかも見栄えを損なわない換気乾燥装置を提供することを目的としている。
【課題を解決するための手段】
【０００８】
上記目的を達成するために、本発明が講じた第１の課題解決手段は、冷媒を圧縮する圧縮機と、冷媒が供給空気に対して放熱する放熱器と、冷媒を膨張させて減圧する膨張機構と、冷媒が供給空気から吸熱する吸熱器と、前記圧縮機と前記放熱器と前記膨張機構と前記吸熱器の順に配管接続して冷媒を充填した冷媒回路と、前記放熱器を収容する室内機と、室内の空気の一部を室外に排気する換気装置を備え、前記放熱器は室内に配置し、前記吸熱器は室外に配置し、前記換気装置は前記室内機に内蔵せず、室内外を連通する単一の孔内に、室内の空気の一部を室外に排気する換気風路と、前記冷媒回路の一部を通す冷媒回路通路を設けたものである。
【０００９】
この手段により、冷媒回路通路と換気風路を、室内外を隔てる壁体に多くとも一つの孔を開口することによって貫通せしめる換気乾燥装置が得られる。
【００１０】
また、本発明が講じた第２の課題解決手段は、上記第１の課題解決手段において、換気風路が、冷媒回路通路を兼ねるように構成したものである。
【００１１】
この手段により、冷媒回路通路と換気風路を、室内外を隔てる壁体に大きくとも換気風路と等しい大きさの一つの孔を開口することによって貫通せしめる換気乾燥装置が得られる。
【００１２】
また、本発明が講じた第３の課題解決手段は、上記第１または第２の課題解決手段において、室内機によって、室内外を連通する単一の孔の室内側開口を隠蔽するよう配置したものである。
【００１３】
この手段により、室内外を連通する単一の孔の室内側開口を、室内側から直視し得ない換気乾燥装置が得られる。
【００１４】
また、本発明が講じた第４の課題解決手段は、上記第１、第２または第３の課題解決手段において、圧縮機を、室外に配置したものである。
【００１５】
この手段により、圧縮機によって生じる騒音や振動が、室内に伝播しがたい換気乾燥装置が得られる。
【００１６】
また、本発明が講じた第５の課題解決手段は、上記第１、第２、第３または第４の課題解決手段において、膨張機構を、室外に配置したものである。
【００１７】
この手段により、膨張機構によって生じる騒音が、室内に伝播しがたい換気乾燥装置が得られる。
【００１８】
また、本発明が講じた第６の課題解決手段は、上記第２、第３または第４の課題解決手段において、膨張機構がキャピラリーチューブであって、かつ換気風路内に配置したものである。
【００１９】
この手段により、換気風路の、冷媒回路によって閉塞される部分が小さくなり、換気抵抗を減少し得る換気乾燥装置が得られる。
【００２０】
また、本発明が講じた第７の課題解決手段は、上記第２、第３、第４、第５または第６の課題解決手段において、冷媒回路が着脱自在な配管接続部を有し、前記配管接続部が換気風路内に配置されないように構成したものである。
【００２１】
この手段により、換気風路の、配管接続部によって閉塞される部分が小さくなり、換気抵抗を減少し得る換気乾燥装置が得られる。
【００２２】
また、本発明が講じた第８の課題解決手段は、上記第７の課題解決手段において、配管接続部が、室外に配置されるように構成したものである。
【００２３】
この手段により、配管接続作業を、室外でおこなうことができる換気乾燥装置が得られる。
【００２４】
また、本発明が講じた第９の課題解決手段は、上記第２、第３、第４、第５、第６、第７または第８の課題解決手段において、吸熱器を収容する室外機を備え、室内機及び前記室外機から露出した冷媒回路が、前記冷媒回路と空気との熱交換を妨げる断熱材によって覆われ、少なくとも換気風路内の断熱材が、他の断熱材よりも薄いものである。
【００２５】
この手段により、換気風路の、断熱材によって閉塞される部分が小さくなり、換気抵抗を減少し得る換気乾燥装置が得られる。
【００２６】
また、本発明が講じた第１０の課題解決手段は、上記第１、第２、第３、第４、第５、第６、第７、第８または第９の課題解決手段において、冷媒回路を圧縮機と放熱器と膨張機構と吸熱器の順から前記圧縮機と前記吸熱器と前記膨張機構と前記放熱器の順に切り替える四方弁を備え、前記四方弁を切り替えて前記吸熱器に付着した霜を取り除く除霜運転時に前記放熱器に付着する結露水を受けるための水受け皿を設け、前記水受け皿の最下部を、室内外を連通する単一の孔の室内側開口の最下部よりも鉛直上方に高い位置に設けたものである。
【００２７】
この手段により、水受け皿に溜まった水を室外に排出する際に、水の自重のみでおこなうことができ、排水動力を必要としない換気乾燥装置が得られる。
【発明の効果】
【００２８】
本発明の上記第１の解決手段、または第２の解決手段によれば、設置の際に換気風路や冷媒回路通路を通すために室内外を隔てる壁体に開口する孔は、多くとも１個でよいことになり、施工工数を低減することが出来る。
【００２９】
また、上記第３の解決手段によれば、室内外を隔てる壁体に開口した孔の室内側開口を室内機で隠蔽することができ、設置部位の見栄えを損なうことなく設置することができる。
【００３０】
また、上記第４の解決手段によれば、一般に騒音や振動の大きい圧縮機を室外に配置することになるので、圧縮機で発生する騒音や振動が室内に伝播しにくくなり、室内を静粛に保つことができる。
【００３１】
また、上記第５の解決手段によれば、一般に冷媒流通音の大きい膨張機構を室外に配置することになるので、膨張機構で発生する騒音が室内に伝播しにくくなり、室内を静粛に保つことができる。
【００３２】
また、上記第６の解決手段によれば、冷媒流通方向に直行する断面積が比較的小さいキャピラリーチューブが換気風路内に配置されるので、換気風路の通風抵抗の増加を小さくすることができる。
【００３３】
また、上記第７の解決手段によれば、冷媒回路が配管接続部を有しているので施工が容易になると同時に、冷媒流通方向に直行する断面積が比較的大きい配管接続部が換気風路外に配置されるので、換気風路の通風抵抗の増加を小さくすることができる。
【００３４】
また、上記第８の解決手段によれば、配管接続部が室外にあるので、例えば室内機を固定した後に配管接続作業を行うといった手順で設置することが可能になり、施工工数を削減することができる。
【００３５】
また、上記第９の解決手段によれば、冷媒配管と周囲空気の熱交換を妨げる断熱材を有しているので、周囲空気への放熱による熱ロスを低減すると同時に、換気風路内の断熱材が比較的薄いので、換気風路内の断熱材の、冷媒流通方向に直行する断面積を比較的小さく抑えることができるので、換気風路の通風抵抗の増加を小さくすることができる。
【００３６】
また、上記第１０の解決手段によれば、水受け皿の最下部を、室内外を連通する孔の最下部よりも鉛直上方に高く設けたので、水受け皿に入った水は特に排水動力を必要とせず自重によって排出されるようになり、安価で省エネルギである上、室内を静粛に保つことができる。
【発明を実施するための最良の形態】
【００３７】
以下、本発明の実施の形態について図面を参照しながら説明する。なお、従来の例と同一の構成要素については同一の符号を用い、詳細な説明は省略する。
【００３８】
（実施の形態１）
本発明の実施形態１にかかる換気乾燥装置の構成を図１及び図２に示す。
【００３９】
図１に、換気乾燥装置の概略構成を示す。図１に示すように、室外機１０１は、冷媒を圧縮する圧縮機１０２と、冷媒が外気から吸熱する吸熱器１０３と、外気を吸熱器１０３に強制的に供給して冷媒の吸熱を促進する室外送風機１０４と、冷媒を減圧して膨張させる膨張機構００１を備えている。また室内機１０５は、冷媒が室内空気に放熱する放熱器００２と、放熱器００２に室内空気を強制的に供給して冷媒の放熱を促進する室内送風機１０８を備えている。室外機１０１と室内機１０５は、第１冷媒配管１０９と第２冷媒配管１１０によって接続され、冷媒が、圧縮機１０２、第１冷媒配管１０９、放熱器、第２冷媒配管１１０、膨張機構００１、吸熱器１０３の順に循環する冷媒回路１１１が構成されている。これにより、外気から吸熱した冷媒が室内空気に放熱し、室内を暖房することができる。また、一般的に発生する騒音、振動が大きい圧縮機１０２及び一般的に発生する騒音が大きい膨張機構００１が室外機１０１に配置されているので、室内を静粛に保つことができる。また、室内外を隔てる壁体１１３の室外側壁面には、室内外を連通する換気風路１１６が接続されて室内の空気の一部を室外に排気する換気装置１１２を備えている。これにより、室内に被乾燥物００３を配置し、前述の冷媒回路１１１で室内の暖房を行うことで室内空気の水蒸気分圧を低下させて被乾燥物００３から室内空気への湿分の移行を促進しながら、換気装置１１２によって室内空気の一部を室外に排気すれば、被乾燥物００３の乾燥を促進できる。前述の換気風路１１６と、第１冷媒配管１０９及び第２冷媒配管１１０を通すための冷媒回路通路１１４を、壁体１１３を貫通させるために、壁体１１３に室内外を連通する単一の孔００４が開口されている。
【００４０】
図２に、室内外を連通する単一の孔近傍の構成を示す。図２（ａ）に示すように、室内機１０５を壁体１１３に固定するための室内取り付け板００５は、換気風路１１６を接続するための換気風路室内側開口００６と、第１冷媒配管１０９及び第２冷媒配管１１０を通すための冷媒回路通路室内側開口００７を備えている。壁体１１３に、換気風路室内側開口００６と、冷媒回路通路室内側開口００７を同時に包含し得る大きさで室内外を連通する単一の孔００４を開口し、室内外を連通する単一の孔の室内側開口００８に室内取り付け板００５を固定すれば、室内外を連通する孔が単一であっても、換気風路１１６、第１冷媒配管１０９、第２冷媒配管１１０の全てを、壁体１１３を貫通させることができる。また、室内機１０５を前述の室内取り付け板００５によって壁面に固定することによって、室内外を連通する単一の孔の室内側開口００８を隠蔽することができる。
【００４１】
なお、室内取り付け板００５が、換気風路室内側開口００６及び冷媒回路通路室内側開口００７を、一般的な在来工法浴室等に見られる自然換気口の一般的なサイズである１８０ミリメートル角程度の角孔で包含し得るように備えれば、既存の角孔を利用して設置できることになり、更に施工工数を削減できる。
【００４２】
なお、本実施例では冷媒回路通路と換気風路１１６の相対的な位置関係を、室内機１０５を壁体１１３に固定するための室内取り付け板００５を利用し、室内取り付け板００５に換気風路室内側開口００６及び冷媒回路通路室内側開口００７を開口することによって近接するよう規定するものとし、換気装置１１６を壁体１１３の室外側壁面に固定するものとしたが、換気装置１１２を室内機１０５に内蔵しないことによって換気風路１１６の貫通位置を室内機１０５から突出する冷媒配管近傍に設定できるように構成されていれば良いのであって、室内取り付け板００５は必須ではない。
【００４３】
また、図２（ｂ）に示すように、室内外を連通する単一の孔００４を、第１冷媒配管１０９と第２冷媒配管１１０を合わせた太さより十分太く、角孔より比較的施工の容易な丸孔とし、この丸孔に丸孔と殆ど同じ大きさの換気風路１１６を通し、第１冷媒配管１０９と第２冷媒配管１１０を換気風路１１６内に通せば、換気風路１１６が冷媒回路通路を兼ねることになる。
【００４４】
（実施の形態２）
本発明の実施形態２にかかる換気乾燥装置の配管接続部近傍の構成を、図３に示す。図３に示すように、第１冷媒配管１０９及び第２冷媒配管１１０は、換気風路１１６内を通っている。また、第１冷媒配管１０９及び第２冷媒配管１１０は、例えばフレア接続など脱着自在な配管接続部００９を有している。前述の配管接続部００９は、第１冷媒配管１０９または第２冷媒配管１１０の他の部分に比べ、冷媒流通方向に直行する断面積が大きい。また、室内機１０５から配管接続部００９に至る第１補助冷媒配管０１０及び第２補助冷媒配管０１１は、室内外を隔てる壁体１１３の厚みより長く構成されている。これにより、配管接続部００９は必ず室外側に配置されることになり、冷媒流通方向に直行する断面積が比較的大きい配管接続部００９によって換気風路１１６の抵抗を増加させることがない。しかも配管接続部００９が室外に配置されるので、室内機１０５を固定してから配管接続作業を行うことができ、施工を容易にすることができる。なお、本実施例では配管接続部００９をフレア接続としたが、着脱自在であればよいのであって、フランジ接続などであっても構わない。
【００４５】
（実施の形態３）
本発明の実施形態３にかかる換気乾燥装置の換気風路内を通る冷媒配管近傍の構成を、図４に示す。図４に示すように、第１冷媒配管１０９は、空気との熱交換を妨げるための断熱材０１２で覆われている。第２冷媒配管１１０は、断熱材０１２で覆われていなくても構わないが、一般にルームエアコンディショナに用いられている冷媒配管を用いる場合には、第１冷媒配管１０９、第２冷媒配管１１０ともに断熱材０１２で覆われていることが一般的である。換気風路１１６内にある冷媒配管を覆う断熱材０１２は他の部分の断熱材０１２に比べて薄い。これにより、冷媒配管が周囲の空気に放熱することによる熱ロスを低減しながら、換気風路１１６の通風抵抗の増加も小さくすることができ、換気風路１１６が冷媒回路通路を兼ねることによって施工を容易にすることができる。
【００４６】
（実施の形態４）
本発明の実施形態４にかかる換気乾燥装置の換気風路内を通る冷媒配管近傍の構成を、図５に示す。
【００４７】
図５は、換気乾燥装置の概略構成を示している。図５に示すように、膨張機構００１がキャピラリーチューブであって、換気風路１１６内に配置されている。キャピラリチューブは、冷媒回路の他の部分に比べ、冷媒流通方向に直行する断面積が小さいので、換気風路１１６の通風抵抗の増加を小さく抑えながら換気風路１１６が冷媒回路通路を兼ねることにより、施工を容易にすることができる。
【００４８】
（実施の形態５）
本発明の実施形態５にかかる換気乾燥装置の構成を図６及び図７に示す。
【００４９】
図６は、換気乾燥装置の概略構成を示している。図６に示すように、室外機１０１には冷媒回路１１１を、圧縮機１０２と第１冷媒配管１０９と放熱器００２と第２冷媒配管１１０と膨張機構００１と吸熱器１０３という第１の冷媒流通順序から、圧縮機１０２と吸熱器１０３と膨張機構００１と第２冷媒配管１１０と放熱器００２と第１冷媒配管１０９という第２の冷媒流通順序に切り替える四方弁０１３を備えている。室内を暖房するときには第１の冷媒流通順序として運転を継続する。このとき、室外が低温度であれば吸熱器１０３には霜が付着する。そのまま第１の冷媒流通順序を継続していると、吸熱器１０３に付着する霜は成長し、吸熱器１０３と外気の熱交換の妨げとなる。そこで四方弁０１３は、何らかのきっかけによって冷媒の流れを第２の冷媒流通順序に切り替え、圧縮機１０２で圧縮した高温高圧の冷媒を吸熱器１０３に流通させ、霜を溶解させる。このとき吸熱器１０３は一時的に放熱器として作用し、放熱器００２は一時的に吸熱器として作用する。従って放熱器００２の温度は下降し、放熱器００２に結露が生じることになる。室内機１０５には、この結露水を受けるための水受け皿０１４を備えている。
【００５０】
図７は、水受け皿近傍の概略構成を示している。図７に示すように水受け皿０１４は、その最下部に水抜き孔０１５を備え、水抜き孔には導水管０１６が接続されている。導水管０１６は換気風路１１６を通し、室外に突出させるが、水受け皿０１４の最下部が、室内外を連通する単一の孔の室内側開口００８の最下部よりも鉛直上方に高くなるように室内機１０５が固定されている。これにより、導水管０１６は自然と室外に向かって下り勾配となり、水受け皿０１４で受けた結露水は、その自重によって導水管０１６を通じて室外に排出される。
【産業上の利用可能性】
【００５１】
本発明に係る換気乾燥装置は、換気風路と冷媒回路通路を、室内外を連通する単一の孔内に設けることにより、容易に設置し得る換気乾燥装置を提供し、新築はもとより、既存の住宅の浴室等に設置して暖房または乾燥を行おうとする場合に有用である。
【図面の簡単な説明】
【００５２】
【図１】本発明の実施の形態１の換気乾燥装置の概略構成図
【図２】同、室内外を連通する単一の孔近傍の構成を示す概略説明図
【図３】本発明の実施の形態２の換気乾燥装置の配管接続部近傍の構成を示す概略説明図
【図４】本発明の実施の形態３の換気乾燥装置の換気風路内を通る冷媒配管近傍の構成を示す概略説明図
【図５】本発明の実施の形態４の換気乾燥装置の換気風路内を通る冷媒配管近傍の構成を示す概略説明図
【図６】本発明の実施の形態５の換気乾燥装置の概略構成図
【図７】同、水受け皿近傍の構成を示す概略説明図
【図８】従来の換気乾燥装置の概略構成図
【符号の説明】
【００５３】
００１  膨張機構
００２  放熱器
００４  室内外を連通する単一の孔
００８  室内外を連通する単一の孔の室内側開口
００９  配管接続部
０１２  断熱材
０１３  四方弁
０１４  水受け皿
１０１  室外機
１０２  圧縮機
１０３  吸熱器
１０５  室内機
１１１  冷媒回路
１１２  換気装置
１１３  壁体
１１４  冷媒回路通路
１１６  換気風路
【図１】
2005140361.tif 000003
【図２】
2005140361.tif 000004
【図３】
2005140361.tif 000005
【図４】
2005140361.tif 000006
【図５】
2005140361.tif 000007
【図６】
2005140361.tif 000008
【図７】
2005140361.tif 000009
【図８】
2005140361.tif 000010